(57)【要約】  【課題】  身長の低い者や車椅子を使用する者などでも、原稿トレイ上の原稿の位置合わせを片手で容易に行えるようにする。  【解決手段】  装置本体１と、装置本体１に取り付けられた原稿載置台２と、原稿載置台２に載置された原稿Ｄの幅方向の位置を規制するカーソル３ａ，３ｂとを設ける。そして、原稿載置台２は用紙幅方向に移動可能とし、カーソル３ａは装置本体１に取り付け、カーソル３ｂは原稿載置台２に取り付ける。原稿載置台２を移動させることにより、原稿載置台２に載置された原稿Ｄの幅方向の位置合わせを行う。【選択図】      図１
2006151604.tif 000002
【特許請求の範囲】
【請求項１】
装置本体と、装置本体に取り付けられた原稿載置台と、原稿載置台に載置された原稿の用紙搬送方向に対して垂直方向の位置を規制する一対の規制部材とを備えた原稿搬送装置において、
前記原稿載置台が用紙搬送方向に対して垂直方向に移動可能で、前記一対の規制部材の一方が原稿載置台に取り付けられ、他方が装置本体に取り付けられ、
前記原稿載置台を移動させることにより、原稿載置台に載置された原稿の位置を規制することを特徴とする原稿搬送装置。
【請求項２】
前記原稿載置台に把持部が形成されている請求項１記載の原稿搬送装置。
【請求項３】
原稿載置台を移動させるモータをさらに備えた請求項１又は２記載の原稿搬送装置。
【請求項４】
装置本体に設けられた、原稿載置台に載置された原稿を給紙する給紙手段が、原稿載置台の移動に合わせて移動する請求項１〜３のいずれかに記載の原稿搬送装置。
【発明の詳細な説明】
【技術分野】
【０００１】
本発明は原稿搬送装置に関し、より詳細には、複写機等の上面に設置され、複写機等の画像読取部に原稿を順次に搬送する原稿搬送装置に関するものである。
【背景技術】
【０００２】
従来、複写機等の上面に設置される原稿搬送装置において、原稿トレイ上に載置した原稿の、用紙搬送方向に対して垂直方向（以下、単に「幅方向」と記すことがある）の位置合わせするには次のような方法があった。図１１は原稿搬送装置の上面図である。この図に示すように、原稿トレイ２’上に原稿Ｄを載置した後、カーソル３’を動かして、装置本体１’側から延出した側壁１１’とカーソル３’との間に原稿Ｄを挟み込み、原稿Ｄの幅方向の位置合わせを行っていた。あるいは図１２に示すように、カーソル３ａ’，３ｂ’の底面にラック９１ａ，９１ｂを取り付け、原稿トレイ２’に軸支されたピニオンにこれらのラック９１ａ，９１ｂを歯合させることによって、カーソル３ａ’，３ｂ’の一方を内方へ移動させると、もう一方も同時に内方へ移動するようにし、原稿トレイ２’上に載置された原稿Ｄをこの一対のカーソル３ａ’，３ｂ’で両方から挟み込んで原稿Ｄの幅方向の位置合わせを行っていた。
【特許文献１】特開平６−１４４５９４号公報（特許請求の範囲、図１〜図６）
【発明の開示】
【発明が解決しようとする課題】
【０００３】
しかしながら、原稿Ｄを載置する原稿トレイ２’は、複写機などの装置の上面に設置された原稿搬送装置の、さらに上部に配置されているため、身長の低い者や車椅子を使用する者などにとって、原稿トレイ２’上の原稿Ｄの幅方向の位置合わせを行うことは容易ではなかった。
【０００４】
本発明はこのような従来の問題に鑑みてなされたものであり、その目的とするところは、身長の低い者や車椅子を使用する者などにも、原稿トレイ上の原稿の位置合わせを片手で容易に行うことができる原稿搬送装置を提供することにある。
【課題を解決するための手段】
【０００５】
本発明によれば、装置本体と、装置本体に取り付けられた原稿載置台と、原稿載置台に載置された原稿の用紙搬送方向に対して垂直方向の位置を規制する一対の規制部材とを備えた原稿搬送装置であって、前記原稿載置台が用紙搬送方向に対して垂直方向に移動可能で、前記一対の規制部材の一方が原稿載置台に取り付けられ、他方が装置本体に取り付けられ、前記原稿載置台を移動させることにより、載置台に載置された原稿の位置を規制することを特徴とする原稿搬送装置が提供される。
【０００６】
ここで、原稿載置台を一層容易に移動させる観点から、原稿載置台に把持部を形成するのが好ましい。
【０００７】
利用者の操作負担を軽減する観点から、原稿載置台を移動させるモータをさらに設けてもよい。
【０００８】
原稿載置台を移動させたときに、原稿の給紙を確実に行わせる観点から、原稿を給紙する給紙手段を原稿載置台の移動に合わせて移動させるのが望ましい。
【発明の効果】
【０００９】
本発明の原稿搬送装置では、原稿載置台を幅方向に移動させることによって、原稿載置台上に載置された原稿の幅方向の位置合わせを行うので、身長の低い者や車椅子を使用する者などにも、原稿載置台上の原稿の幅方向の位置合わせを片手で容易に行えるようになる。
【００１０】
また原稿載置台に把持部を形成すると、原稿載置台の移動操作が一層容易に行えるようになる。
【００１１】
利用者の操作負担を軽減する観点から、原稿載置台を移動させるモータをさらに設けてもよい。
【００１２】
さらに、原稿を給紙するための給紙手段を原稿載置台の移動に合わせて移動するようにすると、原稿載置台を移動させても原稿の給紙が確実に行える。
【発明を実施するための最良の形態】
【００１３】
以下、本発明の原稿搬送装置について図に基づいて説明するが、本発明はこれらの実施形態に何ら限定されるものではない。
【００１４】
図１は、本発明の原稿搬送装置の一例を示す斜視図である。装置本体１に原稿トレイ（原稿載置台）２が幅方向に移動可能に取り付けられている。原稿トレイ２の装置本体１への取り付け機構については後述する。原稿トレイ２の上面には、原稿Ｄの幅方向の位置決めを行うための一対のカーソル（規制部材）３ａ，３ｂが設けられている。具体的には、カーソル３ａは、原稿トレイ２の幅方向前側で用紙搬送方向前側の位置に、装置本体１に固定されている。他方、カーソル３ｂは、原稿トレイ２の幅方向奥側で用紙搬送方向前側の位置に原稿トレイ２に固定されている。また、原稿トレイ２には、原稿トレイ２を移動させるときに利用者が持つための把持部２１が、原稿トレイ２と一体形成されている。なお、装置本体１の側壁を延出させて、装置本体側に取り付けるカーソルとして用いてももちろん構わない。
【００１５】
同図（ｂ）に示すように、原稿トレイ２に原稿Ｄを載置し、原稿Ｄの幅方向の位置合わせを行う場合には、利用者は把持部２１を持って原稿トレイ２を正面側に引っ張る。このとき、カーソル３ｂは原稿トレイ２に固定されているので、原稿トレイ２と共に正面側に移動する。一方、カーソル３ａは装置本体１に固定されているので移動しない。このため、カーソル３ａとカーソル３ｂとの間で原稿Ｄが挟み込まれ、幅方向の位置合わせが行われる。
【００１６】
次に、原稿トレイ２の装置本体１への取り付け機構について説明する。図２は、本発明の原稿搬送装置の外カバーを外した状態の図である。図３は、図２における移動機構の部分だけを取り出した図である。そして、図４は、図３のＡ−Ａ線断面図である。
【００１７】
図２及び図３に示すように、装置本体１には断面略コ字状のレール４が幅方向に取り付けられている。一方、図４に示すように、原稿トレイ２の前側側面には２つの車輪２２が回転可能に取り付けられている。この車輪２２をレール４内に転動可能に差し入れることによって、原稿トレイ２はレール４で移動可能に支持される。原稿トレイ２に対して幅方向に外力が加わると、原稿トレイ２に取り付けられた車輪２２がレール４内を転動し、原稿トレイ２は幅方向に円滑に移動する。
【００１８】
なお、原稿トレイ２から装置本体１に原稿Ｄが引き入れられ画像読み取りが行われているときに、原稿トレイ２のがたつきを抑えるために、原稿トレイ２に取り付けた車輪２２の回転軸２３（図４に図示）に、所定の回動力以上で回動するトルクリミッタ（不図示）を取り付けておくのが望ましい。あるいは、図５に示すように、車輪２２の代わりに歯車２４ａ，２４ｂを用い、レール４の内底面に歯４１を刻み、レール４の内底面の歯４１と歯車２４ａ，２４ｂとの歯合によって原稿トレイ２を移動させると共に、原稿トレイ２のがたつきを抑えるようにしてもよい。
【００１９】
また、この実施形態では手動により原稿トレイ２を移動させるが、モータを設けて原稿トレイ２を自動で移動させるようにして、利用者の操作負担を軽減するようにしてもよい。この場合の構成例を図６に示す。
【００２０】
図６は原稿トレイ２を底面側から見た、一部切り欠き斜視図である。同図（ａ）の原稿トレイ２では、一方端に車輪２２ａが取り付けられた軸部２３の他端にギア２５が取り付けられている。そして、原稿トレイ２の内部にモータ５が配置され、モータ５の回動軸に取り付けられたギア５１とこのギア２５が歯合している。モータ５が回動すると、ギア５１とギア２５によって回動が軸部２３に伝えられ、車輪２２ａが回動して原稿トレイ２が幅方向に移動する。
【００２１】
また同図（ｂ）の原稿トレイでは、原稿トレイ２の外側面にモータ５が取り付けられている。そして、モータ５の回動軸にはプーリ５２が取り付けられている。一方、車輪２２ａが取り付けられた軸部２３にもプーリ２６が取り付けられ、プーリ５２とプーリ２６との間にベルト５３が掛架されている。モータ５が回動すると、ベルト５３によって回動が軸部２３に伝えられ、車輪２２ａが回動して原稿トレイ２が幅方向に移動する。
【００２２】
なお、図６で示した実施形態では、原稿トレイ２を移動させるために専用のモータ５を取り付けているが、原稿Ｄの給紙や搬送に用いる既存のモータを原稿トレイ２の移動に使用してももちろん構わない。
【００２３】
原稿トレイ２を自動で移動させる場合、その移動制御は例えば次のようにして行う。まず初期状態では、原稿トレイ２をカーソル３ａ，３ｂの間が最大に開いた状態に位置させる。そして、原稿トレイ２上に原稿Ｄが載置され、不図示の画像読取開始ボタンが押されると、モータ５を駆動させて原稿トレイ２を移動させて、カーソル３ａ，３ｂの間で原稿Ｄを挟み込み、原稿Ｄの幅方向の位置合わせを行う。次に、原稿トレイ２上の原稿Ｄが無くなったことが所定のセンサで検知されると、モータ５を先程とは逆方向に回転させて、原稿トレイ２を初期状態に戻す。この一連の操作を繰り返し行う。
【００２４】
本発明に係る原稿搬送装置の他の実施形態を図７に示す。図７は、原稿搬送装置の外カバーを外した状態の斜視図である。この図の原稿搬送装置では、前記実施形態と異なって、原稿トレイ２が装置の背面側に移動する。このため、カーソル３ｂは装置本体１に固定され、カーソル３ａは原稿トレイ２に固定されている。この構成の原稿搬送装置では、利用者は原稿トレイ２に原稿Ｄを載置した後、原稿トレイ２を背面側に押すことによって原稿Ｄの幅方向の位置合わせを行う。原稿トレイ２の装置本体１への取り付け構造は前記実施形態と同様である。なお、原稿トレイ２を正面側に引き出して、原稿の幅方向の位置合わせを行うか、原稿トレイ２を背面側に押し出してそれを行うかは任意に定めればよいが、前者による位置合わせの方が一般に使用勝手がよい。
【００２５】
ところで、原稿トレイ上の原稿を装置本体へ給紙する給紙ユニット（給紙手段）は、装置本体１の幅方向略中央部に通常は配置されている。これは、どのような大きさの原稿が載置されたときでも、原稿の幅方向略中央部に給紙ユニットが作用するようにして、原稿を安定的に装置本体へ給紙するためからである。しかし、原稿トレイが幅方向に移動する本発明の装置においては、給紙ユニットが装置本体の幅方向略中央部に固定された状態のままでは、原稿の大きさによっては原稿の幅方向中央部に給紙手段が作用しない場合が起こり得る。このため、給紙ユニットも原稿トレイの移動に合わせて移動するようにするのが望ましい。図８〜図１０に、給紙ユニットが幅方向に移動する機構の一例を示す。
【００２６】
図８は、装置本体１の外カバーを外したときの斜視図である。図９は、給紙ユニット６の拡大斜視図である。図１０は、給紙ユニット６への駆動伝達機構を示す概略平面図である。図９に示すように、この給紙ユニット６は、原稿Ｄを引き出すピックアップローラ６２と、引き出された原稿を一枚ずつ分離して送り出す給紙ローラ（不図示）とが、外枠体６１に回転自在に取り付けられてなる。図１０に示すように、装置本体１の背面側にモータ７１が配設され、モータ７１の駆動力は駆動ユニット７２と駆動軸７３とを介してピックアップローラ６２と給紙ローラ（不図示）とに伝えられる。これによってピックアップローラ２と給紙ローラ（不図示）とが回転し、原稿トレイ２上の原稿Ｄを装置本体１へ送り出す。
【００２７】
また図９に示すように、給紙ユニット６の外枠体６１の両側板にはスパイラル軸８２が貫通している。このスパイラル軸８２は、装置本体１の背面側に配設されたモータ８１（図１０に図示）から駆動ユニット７２（図１０に図示）を介して伝えられる駆動力によって回動する。そしてスパイラル軸８２の回転によって給紙ユニット６が軸方向に移動する。なお、給紙ユニット６は、カーソル３ａ，３ｂ間の略中央に位置するように、原稿トレイ２の移動に合わせて移動し、その最大移動量は４０ｍｍ程度である。
【００２８】
なお、この実施形態では給紙ユニット６を自動で移動させているが、手動により移動させるようにしてももちろん構わない。
【図面の簡単な説明】
【００２９】
【図１】本発明に係る原稿搬送装置の一例を示す斜視図である。
【図２】装置本体の外カバーを外したときの斜視図である。
【図３】原稿トレイの移動機構を示す斜視図である。
【図４】図３のＡ−Ａ線断面図である。
【図５】原稿トレイの他の移動機構を示す側面図である。
【図６】原稿トレイが自動で移動する場合の構成例である。
【図７】本発明に係る原稿搬送装置の他の例を示す斜視図である。
【図８】給紙ユニットが移動する原稿搬送装置の斜視図である。
【図９】給紙ユニットの拡大斜視図である。
【図１０】給紙ユニットの移動機構を示す平面図である。
【図１１】従来の原稿搬送装置の一例を示す平面図である。
【図１２】従来の原稿搬送装置の他の例を示す平面図である。
【符号の説明】
【００３０】
１  装置本体
２  原稿トレイ（原稿載置台）
３ａ，３ｂ  カーソル（規制部材）
６  給紙ユニット（給紙手段）
Ｄ  原稿
２１  把持部
【図１】
2006151604.tif 000003
【図２】
2006151604.tif 000004
【図３】
2006151604.tif 000005
【図４】
2006151604.tif 000006
【図５】
2006151604.tif 000007
【図６】
2006151604.tif 000008
【図７】
2006151604.tif 000009
【図８】
2006151604.tif 000010
【図９】
2006151604.tif 000011
【図１０】
2006151604.tif 000012
【図１１】
2006151604.tif 000013
【図１２】
2006151604.tif 000014